(57)【要約】【課題】消費者に高級感を与えることができ、商品のイメージを高められる内装材付き包装箱を提供する。【解決手段】底壁４の周囲に側壁５，６を立設した箱本体１と、その内部に敷設される内装材２とから成る包装箱において、前記内装材２として布を使用し、商品を内装材２に載置した状態で、内装材２にドレープが生じるようにする。布製の内装材２に生じたドレープにより、布の質感が明部と暗部のコントラストにより立体的に強調されて、消費者に高級感を与えることができ、商品のイメージを高めることができる。また、商品を取り出した後、内装材２だけを使用することもでき、商品を小分けにして包むこともできる。【選択図】図１
2008302957.tif 000002
【特許請求の範囲】
【請求項１】
底壁の周囲に側壁を立設した箱本体と、その内部に敷設される内装材とから成る包装箱において、前記内装材として布を使用し、商品を内装材に載置した状態で、内装材にドレープが生じるようにしたことを特徴とする内装材付き包装箱。
【請求項２】
請求項１に記載の内装材付き包装箱において、前記内装材を、内枠で押圧して箱本体に沿わせるようにしたことを特徴とする内装材付き包装箱。
【請求項３】
請求項１に記載の内装材付き包装箱において、前記内装材を、縁部に弾性紐材を有する巾着状のものとし、内枠に被せるようにしたことを特徴とする内装材付き包装箱。
【発明の詳細な説明】
【技術分野】
【０００１】
この発明は、ギフト箱等として使用される内装材付き包装箱に関するものである。
【背景技術】
【０００２】
一般に、ギフト用にハム、ソーセージ類を詰め合わせる際には、底壁の周囲に側壁を立設した箱本体と、その内部に敷設される内装材とから成る包装箱を使用する。この内装材には、通常、下記特許文献１に示すように、プラスチック板や板紙を罫線に沿って折り曲げ、商品を収納する凹部を形成したものが使用されている。
【０００３】
【特許文献１】特開平８−２１７０７９号公報
【発明の開示】
【発明が解決しようとする課題】
【０００４】
しかしながら、上記のような包装箱では、商品を収納した状態で内部を見たとき、平面的に感じ、高級感に乏しく、ギフト品を選ぶ送り手や、開梱した受取り手に対し、商品のイメージを高める効果が得にくいという問題がある。
【０００５】
そこで、この発明は、消費者に高級感を与えることができ、商品のイメージを高められる内装材付き包装箱を提供することを課題とする。
【課題を解決するための手段】
【０００６】
上記課題を解決するため、この発明は、底壁の周囲に側壁を立設した箱本体と、その内部に敷設される内装材とから成る包装箱において、前記内装材として布を使用し、商品を内装材に載置した状態で、内装材にドレープが生じるようにしたのである。
【０００７】
また、前記内装材を、内枠で押圧して箱本体に沿わせるようにし、箱本体に内装材が固定されるようにしたのである。
【０００８】
そのほか、前記内装材を、縁部に弾性紐材を有する巾着状のものとし、内枠に被せるようにして、内装材を内枠に固定した状態で、箱本体にセットするようにしたのである。
【発明の効果】
【０００９】
この発明に係る包装箱では、布製の内装材に生じたドレープにより、布の質感が明部と暗部のコントラストにより立体的に強調されて、消費者に高級感を与えることができ、商品のイメージを高めることができる。また、商品を取り出した後、内装材だけを使用することもでき、商品を小分けにして包むこともできる。
【発明を実施するための最良の形態】
【００１０】
まず、この発明の第１実施形態を図１に基づいて説明する。
【００１１】
この包装箱は、ブロック状のハムを商品Ｇとして収納するため、平面サイズが比較的小さく、深さのあるものとされ、箱本体１、内装材２、内枠３及び図示省略した蓋から構成される。
【００１２】
箱本体１は、段ボール製であり、底壁４の周囲に二重構造の側壁５，６を各一対設けたものとされている。内枠３もまた段ボール製であり、帯材を環状に繋ぎ、罫線に沿って角形に折り曲げたものとされている。
【００１３】
一方、内装材２は、冷蔵時の結露に対する耐水性を考慮して、ポリエステル等の合成繊維から成る布製とされている。なお、内装材２の布には、例えば、和装用の縮緬のように肌触りがよく、深みのある色調の染めのものを使用するのが好ましい。
【００１４】
この包装箱を使用して、商品Ｇを包装する際には、箱本体１の底壁４に内装材２を敷設し、内装材２を、内枠３で押圧して箱本体１の側壁５，６の内面に押し付け、箱本体１に固定する。
【００１５】
そして、商品Ｇを内装材２に載置し、内装材２で商品Ｇを包むようにして、箱本体１に蓋を被せる。また、店頭で陳列するサンプル品とする場合には、蓋を被せることなく、商品が見えるようにしておく。
【００１６】
上記のような包装箱では、布製の内装材２に生じたドレープにより、布の質感が明部と暗部のコントラストにより立体的に強調されて、消費者に高級感を与えることができ、商品のイメージを高めることができる。
【００１７】
また、商品Ｇを取り出した後、内装材２だけを使用することもでき、商品Ｇを小分けにして包むこともできる。
【００１８】
次に、この発明の第２実施形態を図２乃至図４に基づいて説明する。
【００１９】
この包装箱は、図２に示すように、スライスしたハムやソーセージを商品Ｇとして収納するため、平面サイズが比較的大きく、浅いものとされ、箱本体１、内装材２、内枠７及び図示省略した蓋から構成される。
【００２０】
箱本体１は、段ボール製であり、底壁４の周囲に二重構造の側壁５，６を各一対設けたものとされている。内枠７もまた段ボール製であり、底壁の周囲に起立壁を有するトレー状とされ、コーナー部に差込溝８が形成されている。
【００２１】
一方、内装材２は、冷蔵時の結露に対する耐水性を考慮して、ポリエステル等の合成繊維から成る布製とされ、図３に示すように、巾着状となるように、その縁部には、ゴム等の弾性紐材９が縫着されている。内装材２の布には、例えば、和装用の縮緬のように肌触りがよく、深みのある色調の染めのものを使用するのが好ましい。
【００２２】
この包装箱を使用して、商品Ｇを包装する際には、図４に示すように、弾性紐材９を引き伸ばしつつ、内装材２を内枠７に被せ、弾性紐材９を収縮に伴い差込溝８に嵌合させ、内装材２を内枠７に固定した状態で、箱本体１にセットする。
【００２３】
そして、図２に示すように、商品Ｇを内装材２に載置して、箱本体１に蓋を被せる。また、店頭で陳列するサンプル品とする場合には、蓋を被せることなく、商品が見えるようにしておく。
【００２４】
上記のような包装箱では、布製の内装材２に生じたドレープにより、布の質感が明部と暗部のコントラストにより立体的に強調されて、消費者に高級感を与えることができ、商品のイメージを高めることができる。
【００２５】
また、内装材２を予め内枠７に固定して、箱本体１に容易にセットすることができるので、商品Ｇの出荷に伴う包装作業や、店頭での陳列作業を効率的に行うことができ、仕上がり品質のばらつきも抑制することができる。
【図面の簡単な説明】
【００２６】
【図１】第１実施形態に係る内装材付き包装箱の使用状態を示す斜視図
【図２】第２実施形態に係る内装材付き包装箱の使用状態を示す斜視図
【図３】同上の内装材を示す斜視図
【図４】同上の内枠に固定した内装材のセット過程を示す斜視図
【符号の説明】
【００２７】
１  箱本体
２  内装材
３  内枠
４  底壁
５，６  側壁
７  内枠
８  差込溝
９  弾性紐材
【図１】
2008302957.tif 000003
【図２】
2008302957.tif 000004
【図３】
2008302957.tif 000005
【図４】
2008302957.tif 000006